(57)【要約】【課題】  施工が簡単で且つ金属と木材とを複合してあるのに内部からはもとより外部からも木材で壁面を構成したように見える壁面構成体を提供する。【解決手段】  本発明の壁面構成体１は、木製方立３に連結した左右の木製無目７、７と、左右の木製無目７、７の室外側に各々取付けた左右の金属製無目９、９と、金属製方立５の室外側に取付けた金属製竪押縁８と、金属製無目９の室外側に取付た金属製水切材１０と、パネル１１又は枠体１２とを備えており、金属製竪押縁８はパネル１１の竪縁部１１ａ又は枠体１２の竪枠１２ａを室外側から押さえており且つ室外側面の長手方向に木材２７が取付けてあり、金属製水切材１０はパネルの横縁部１１ｂ又は枠体１２の横枠１２ｂを室外側から押さえており且つ下面の長手方向に木材２９が取付けてある。【選択図】      図１
2005273367.tif 000002
【特許請求の範囲】
【請求項１】
木製方立と、木製方立の室外側に取付けた金属製方立と、木製方立に連結した左右の木製無目と、左右の木製無目の室外側に各々取付けた左右の金属製無目と、金属製方立の室外側に取付けた金属製竪押縁と、金属製無目の室外側に取付た金属製水切材と、金属製方立と金属製無目が形成した開口部に組み込むパネル又は枠体とを備え、金属製竪押縁はパネルの竪縁部又は枠体の竪枠を室外側から押さえており且つ室外側面の長手方向に木材が取付けてあり、金属製水切材はパネルの横縁部又は枠体の横枠を室外側から押さえており且つ下面の長手方向に木材が取付けてあることを特徴とする壁面構成体。
【請求項２】
木製無目は室外側面の長手方向に設けた金属製無目取付溝を有し、木製方立は、室外側面の長手方向に設けた金属製方立取付溝と、左右の側面に各々設けた木製無目端部呑み込み溝とを有し、金属製無目取付溝が金属製無目の室内側を呑み込んでおり、金属製方立取付溝が金属製方立の室内側を呑み込んでおり、木製無目端部呑み込み溝は室外側に開口し且つ無目の長手方向端部を呑み込んでいることを特徴とする請求項１に記載の壁面構成体。
【発明の詳細な説明】
【技術分野】
【０００１】
本発明は、カーテンウォール等の壁面構成体に関する。
【背景技術】
【０００２】
特許文献１には、室内側を木製として室外側を金属製とした木材−金属複合の壁面構成体において、パネルの室外側に設けた金属製押縁でパネルを押さえることが開示されている。
【０００３】
【特許文献１】特開２００１−１９３２０２号公報
【発明の開示】
【発明が解決しようとする課題】
【０００４】
上述の従来技術では押縁が金属製であるから、外部から見たときには金属製材で壁面を構成しているように見える。しかし、外部から見たときに壁面構成体が木製に見えることが望まれている。
この場合、押縁を木材とすると金属製無目や金属製方立に固定し難くなるため、施工し難いという問題がある。
【０００５】
そこで、本発明は、施工が簡単で且つ金属と木材とを複合してあるのに内部からはもとより外部からも木材で壁面を構成したように見える壁面構成体の提供を目的とする。
【課題を解決するための手段】
【０００６】
請求項１に記載の発明は、木製方立と、木製方立の室外側に取付けた金属製方立と、木製方立に連結した左右の木製無目と、左右の木製無目の室外側に各々取付けた左右の金属製無目と、金属製方立の室外側に取付けた金属製竪押縁と、金属製無目の室外側に取付た金属製水切材と、金属製方立と金属製無目が形成した開口部に組み込むパネル又は枠体とを備え、金属製竪押縁はパネルの竪縁部又は枠体の竪枠を室外側から押さえており且つ室外側面の長手方向に木材が取付けてあり、金属製水切材はパネルの横縁部又は枠体の横枠を室外側から押さえており且つ下面の長手方向に木材が取付けてあることを特徴とする。
【０００７】
請求項２に記載の発明は、請求項１に記載の発明において、木製無目は室外側面の長手方向に設けた金属製無目取付溝を有し、木製方立は、室外側面の長手方向に設けた金属製方立取付溝と、左右の側面に各々設けた木製無目端部呑み込み溝とを有し、金属製無目取付溝が金属製無目の室内側を呑み込んでおり、金属製方立取付溝が金属製方立の室内側を呑み込んでおり、木製無目端部呑み込み溝は室外側に開口し且つ無目の長手方向端部を呑み込んでいることを特徴とする。
【発明の効果】
【０００８】
請求項１に記載の発明によれば、金属製竪押縁材の室外側面の長手方向に木材が取付けてあるとともに、金属製水切材の下面にも長手方向に木材が取付けてあるので、外部から壁面構成体を見たときに壁面構成体が金属と木材を複合してあるにもかかわらず、外側全体が木材でできているように見え、外観が良い。
金属製竪押縁材の室外側に木材が取付けてあり、金属製水切材の下面に木材が取付けてあるので、木材を押縁とした場合に比較して、木材を金属製無目や金属製方立に固定する作業が必要ないから、施工し易い。
金属製水切材はパネル横縁部又は横枠を押さえており、横額縁材を兼ねているので、この点においても施工し易い。
【０００９】
請求項２に記載の発明によれば、請求項１に記載の効果を奏すると共に、木製方立には左右側面各々に無目端部呑み込み溝を設けて各側の無目端部を嵌め込んでいるので、無目端面を溝底に当接させることにより無目の位置決めが容易にでき、更に施工しやすい。
【発明を実施するための最良の形態】
【００１０】
以下に、添付図面を参照して本発明の実施の形態を説明する。図１は図４のＡ−Ａ断面図であり、図２は図４のＢ−Ｂ縦断面図であり、図３は木製方立と木製無目の連結部を示す分解斜視図であり、図４は本実施の形態にかかる壁面構成体を室外側から見た正面図である。
本実施の形態にかかる壁面構成体１は、外倒し窓２と、嵌め殺し窓４を備えた木材−金属複合の壁面構成体であり、室内側に配置した木製方立３と、木製方立３の室外側に取付けた金属製方立５と、室内側に配置した左右の木製無目７、７と、左右の木製無目７、７の室外側に取付けた左右の金属製無目９、９と、金属製方立５の室外側に取付けた金属製押縁８と、金属製無目９の室外側に取付けた金属製水切材１０とを備えている。
外倒し窓２においては、金属製方立５と、金属製無目９、９とで囲まれる内周に枠体１２が取付けられおり、嵌め殺し窓４においては金属製方立５と、金属製無目９、９とで囲まれる内周にパネル１１が取付けられている。
木製無目７は長手方向端面７ａから突設した軸部１３と、室外側面に長手方向に設けた金属製無目取付溝１５とを備えている。金属製無目取付溝１５には金属製無目９が嵌め込まれて金属製無目９が溝底１６にねじで止めてある。
木製方立３は、金属製方立取付溝１７と、軸部係止溝１９と、木製無目端部呑み込み溝２１と、閉鎖板２５とを備えている。金属製方立取付溝１７は、木製方立３の室外側面に長手方向に設けてあり、金属製方立取付溝１７に金属製方立５の室内側部が嵌め込まれて金属製方立５が溝底１８にねじで止めてある。
軸部係止溝１９は木製方立３を左右方向に貫通すると共に室外側に開口している。
木製無目端部呑み込み溝２１は、木製方立３の左右側面に各々設けてあり且つ室外側に開口した溝である。木製無目端部呑み込み溝２１には木製無目７の端面７ａが嵌め込まれている。
金属製方立取付溝１７の溝底１８には、軸部係止溝１９の開口を跨いで閉鎖板取付溝２３が設けてある。この閉鎖板取付溝２３は閉鎖板２５の厚みと略同じ深さの溝であり、閉鎖板２５の室外側面２５ａと金属方立取付溝１７の溝底１８とが略同一面にしている。
また、木製方立３の金属製方立取付溝１７の溝底１８及び木製無目７の金属製無目取付溝１５の溝底１６には各々溝の長手方向に防水材２８が設けてある。
閉鎖板２５は閉鎖板取付溝２３に嵌めて、軸部係止溝１９の室外側にある開口を塞いでおり埋め込みねじ２９により金属方立取付溝１７の溝底１８に固定している。
金属製竪押縁８は、金属製方立５に室外側から係止されており、パネル竪縁部１１ａ又は竪枠１２ａを室外側から押さえており、本実施の形態では、嵌め殺し窓４ではパネル竪縁部１１ａを押さえており、外倒し窓２では竪枠１２ａを押さえている。金属製竪押縁８の室外側面には、長手方向に木材２７がねじで取付けてある。
金属製水切材１０は、パネル横縁部１１ｂ又は横枠１２ｂを押さえており、本実施の形態では嵌め殺し窓４ではパネル横縁部１１ｂを押さえており、外倒し窓２では横枠１２ｂを押さえている。金属製水切材１０の下面の長手方向に木材２９がねじで取付けてある。
【００１１】
次に、本実施の形態にかかる壁面構成体の施工、作用及び効果について説明する。壁面構成体１における木製方立３と木製無目７の連結は、木製無目７の長手方向端面７ａに突設した軸部１３を、木製方立３の左右側から軸部係止溝１９に係止すると共に木製無目７の端面７ａを木製端部嵌め込み溝２１に嵌め入れ、閉鎖板２５を木製方立３の室外側から閉鎖板取付溝２３に嵌合し、ねじ２９で木製方立３に固定する。
次に、木製方立３の金属製方立取付溝１７の溝底１８と、木製無目７の金属製無目取付溝１５の溝底１６との各々に防水材２８を配置して、金属製方立取付溝１７には防水材２８の上から金属製方立５の室内側部をねじ固定し、金属製無目取付溝１５には防水材２８の上から金属製無目９の室内側面をねじ固定する。
外倒し窓２においては、金属製方立５に竪枠１２ａを装着し金属製無目９に横枠１２ｂを装着した後、金属製竪押縁８を金属製方立５に係止することにより竪枠１２ａを室外側から押さえると共に金属製水切材１０を金属製無目５に係止することにより横枠１２ｂを室外側から押さえる。
一方、嵌め殺し窓４にあっては、金属製方立５にパネル竪縁部１１ａを装着し金属製無目９にパネル横縁部１１ｂを装着した後、金属製竪押縁８によりパネル竪縁部１１ａを室外側から押さえると共に金属製水切材１０によりパネル横縁部１１ｂを室外側から押さえる。
本実施の形態によれば、金属製竪押縁材８の室外側面に木材２７が取付けてあるとともに、金属製水切材１０の下面にも木材２９が設けてあるので、外部から壁面構成体１を見たときに壁面構成体１が金属と木材を複合してあるのにもかかわらず、外側が木材でできているように見え、外観が良い。
金属製竪押縁材８の室外側に木材２７が取付けてあり、金属製水切材１０の下面に木材２９が取付けてあるので、木材を押縁とした場合に比較して、木材を金属製無目や金属製方立に固定する作業が必要ないから、施工し易い。
金属製水切材１０はパネル横縁部１１ｂ又は横枠１２ｂを押さえており、横額縁材を兼ねているので、この点においても施工し易い。
木製方立３には、左右の側面に無目端部呑み込み溝２１を設けて木製無目７の端部を嵌め込んでいるので、木製無目端面７ａを溝底２１ａに当接させて配置することで位置決めが容易にでき、この点においても施工しやすい。
木製方立３と木製無目７との連結は、木製方立３の軸部係止溝１９に木製無目７の軸部１３を係止した後、軸部係止溝１９を閉鎖板２５により閉じるだけであり、従来技術のようにＬ字連結金具等による木製方立３と木製無目７との固定が不要であるから、施工が簡単であるとともに連結部の外観が良い。
木製方立３において金属製方立取付溝１７の溝底１８と閉鎖板２５の室外側面２５ａとを略同一面としているので、閉鎖板２５が邪魔にならずに金属製方立５を木製方立３に取付けできる。
金属製無目取付溝１５及び金属製方立取付溝１７には防水材２８を設けているので、木製方立３及び木製無目７が結露水等により腐食するのを防止できる。
【００１２】
本発明は、上述した実施の形態に限らず、本発明の要旨を逸脱しない範囲で種々変形可能である。
例えば、金属製竪押縁８及び金属製水切材１０が押さえる竪枠１２ａまたは横枠１２ｂは外倒し窓の枠に限らず、ドア枠であってもよい。
【図面の簡単な説明】
【００１３】
【図１】図４のＡ−Ａ断面図である。
【図２】図４のＢ−Ｂ縦断面図である。
【図３】木製方立と木製無目の連結部を示す分解斜視図である。
【図４】本実施の形態にかかる壁面構成体を室外側から見た正面図である。
【符号の説明】
【００１４】
１      壁面構成体
３      木製方立
５      金属製方立
７      木製無目
８      金属製竪押縁
９      金属製無目
１０    金属製水切材
１１    パネル
１１ａ  パネル竪縁部
１１ｂ  パネル横縁部
１２    枠体
１２ａ  竪枠
１２ｂ  横枠
１５    金属製無目取付溝
１７    金属製方立取付溝
２１    木製無目端部呑み込み溝
２７    木材
２９    木材
【図１】
2005273367.tif 000003
【図２】
2005273367.tif 000004
【図３】
2005273367.tif 000005
【図４】
2005273367.tif 000006